(57)【要約】      （修正有）【課題】本考案は、電源や湯水撹拌循環手段を用いない極めて簡略、かつ、安価な構造で、しかも、足浴を通じての身体の健康促進に有効な二酸化炭素泉足浴装置を提供する。【解決手段】本考案の二酸化炭素泉足浴装置１は、湯水Ｗを足浴用の貯湯部に貯留する足浴槽本体と、湯水Ｗ内に２００ｇ：４０ｇの割合で混入させる重曹４、クエン酸５と、足浴槽本体２の貯湯部３内に配置する酸化マグネシウム、酸化カルシウム、アルミニウム粉末から選ばれる素材をベースとした発熱剤７を収容した保温材６とを有し、保温材６における発熱剤７と湯水Ｗとの反応により湯水Ｗを適温に維持するとともに、湯水Ｗと重曹４、クエン酸５との反応により湯水Ｗ中に生じる炭酸ガスを足の皮膚内に浸透させる構成とした。【選択図】図２
0003150886.tif 000002
【実用新案登録請求の範囲】
【請求項１】
湯水を足浴用の貯湯部に貯留する足浴槽本体と、
湯水内に混入させる重曹、クエン酸と、
足浴槽本体の貯湯部内に配置する酸化マグネシウム、酸化カルシウム、アルミニウム粉末から選ばれる素材をベースとした発熱剤を収容した保温材と、
を有し、
前記保温材における発熱剤と湯水との反応により湯水を適温に維持するとともに、前記湯水と前記重曹、クエン酸との反応により湯水中に生じる炭酸ガスを足部の皮膚内に浸透させるようにしたことを特徴とする二酸化炭素泉足浴装置。
【請求項２】
湯水を足浴用の貯湯部に貯留する足浴槽本体と、
湯水内に２００ｇ：４０ｇの割合で混入させる重曹、クエン酸と、
足浴槽本体の貯湯部内に配置する酸化マグネシウム、酸化カルシウム、アルミニウム粉末から選ばれる素材をベースとした発熱剤を収容した保温材と、
を有し、
前記保温材における発熱剤と湯水との反応により湯水を適温に維持するとともに、前記湯水と前記重曹、クエン酸との反応により湯水中に生じる炭酸ガスを足部の皮膚内に浸透させるようにしたことを特徴とする二酸化炭素泉足浴装置。
【請求項３】
湯水を足浴用の貯湯部に貯留する足浴槽本体と、
湯水内に重曹２００ｇ：クエン酸４０ｇの割合で混入し、一定時間後クエン酸１０ｇを追加混入させるクエン酸分散混入態様とした重曹、クエン酸と、
足浴槽本体の貯湯部内に配置する酸化マグネシウム、酸化カルシウム、アルミニウム粉末から選ばれる素材をベースとした発熱剤を収容した保温材と、
を有し、
前記保温材における発熱剤と湯水との反応により湯水を適温に維持するとともに、前記湯水と前記重曹、クエン酸との反応により湯水中に生じる炭酸ガスを足部の皮膚内に浸透させるようにしたことを特徴とする二酸化炭素泉足浴装置。
【請求項４】
湯水を足浴用の足浴穴からなる貯湯部に貯留する底部にキャスタを具備する足浴槽本体と、
湯水内に重曹２００ｇ：クエン酸４０ｇの割合で混入し、又は、重曹２００ｇ：クエン酸４０ｇの割合で混入し、一定時間後クエン酸１０ｇを追加混入させるクエン酸分散混入態様とした重曹、クエン酸と、
足浴槽本体の貯湯部内に配置する酸化マグネシウム、酸化カルシウム、アルミニウム粉末から選ばれる素材をベースとした発熱剤を収容した保温材と、
前記保温材を貯湯部内で押さえ込む鉱石を用いた抑え部材と、
前記湯水内に混入させる薬草と、
を有し、
前記保温材における発熱剤と湯水との反応により湯水を適温に維持するとともに、前記湯水と前記重曹、クエン酸との反応により湯水中に生じる炭酸ガスを足部の皮膚内に浸透させるようにしたことを特徴とする二酸化炭素泉足浴装置。
【考案の詳細な説明】
【技術分野】
【０００１】
本考案は、簡略安価な構造で、しかも、身体の健康促進に有効であり、家庭や施設等において何人も安心安全に、かつ、簡略に足浴を行うことができる二酸化炭素泉足浴装置に関するものである。
【背景技術】
【０００２】
従来から知られている二酸化炭素泉は、湯水に炭酸ガスが溶け込んだものであり、この炭酸ガスが身体に作用することで医学的効能、例えば身体の健康促進に有効であることが知られている。
すなわち、二酸化炭素泉は、湯水中の炭酸ガスが皮膚から浸透し、抹消血管を拡張させることによって、血液の循環を促進し、新陳代謝を活発にする効果を発揮する。
ここに、二酸化炭素泉とは、温泉１ｋｇ中に１０００ｍｇ以上（１０００ｐｐｍ以上）の遊離二酸化炭素（炭酸ガス）を含んでいるものを言う（温泉法）。
【０００３】
本出願人は、先に湯水を貯湯部に貯留する浴槽本体と、湯水内に混入させる重曹と、浴槽本体内に配置する酸化カルシウムとアルミニウム粉末をベースとした発熱剤を収容した熱源パックと、前記湯水を浴槽本体内で撹拌循環させる湯水撹拌循環手段と、を有し、前記発熱剤と湯水との反応により湯水を適温に加熱するとともに、前記浴槽本体内の湯水を湯水撹拌循環手段で撹拌循環させ前記湯水中に炭酸ガスを発生させるように構成した二酸化炭素泉浴装置を提案している（特許文献１）。
【先行技術文献】
【特許文献】
【０００４】
【特許文献１】登録実用新案第３１４６７０１号公報
【考案の概要】
【考案が解決しようとする課題】
【０００５】
本考案は、上記二酸化炭素泉浴装置を変形した考案であり、電源や湯水撹拌循環手段を用いない極めて簡略安価な構造で、しかも、身体の健康促進に有効であり、家庭や施設等において何人も安心安全に、かつ、簡略に足浴を行うことができる二酸化炭素泉足浴装置を提案するものである。
【課題を解決するための手段】
【０００６】
本考案に係る二酸化炭素泉足浴装置は、湯水を足浴用の貯湯部に貯留する足浴槽本体と、湯水内に混入させる重曹、クエン酸と、足浴槽本体の貯湯部内に配置する酸化マグネシウム、酸化カルシウム、アルミニウム粉末から選ばれる素材をベースとした発熱剤を収容した保温材と、を有し、前記保温材における発熱剤と湯水との反応により湯水を適温に維持するとともに、前記湯水と前記重曹、クエン酸との反応により湯水中に生じる炭酸ガスを足部の皮膚内に浸透させるようにしたことを最も主要な特徴とする。
【考案の効果】
【０００７】
請求項１記載の考案によれば、電源や湯水撹拌循環手段を用いない極めて簡略安価な構造でありながら、使用者の足部を適温に維持しつつその皮膚から体内へ湯水と重曹、クエン酸との反応に基づく炭酸ガスを浸透させることができ、皮膚や脳循環の活性化、血圧の低下、副交感神経の活性化、快適感の増進等の諸効果を発揮させることができる二酸化炭素泉足浴装置を提供することができる。
【０００８】
請求項２記載の考案によれば、重曹、クエン酸の割合を２００ｇ：４０ｇとした構成の基に、請求項１記載の考案の場合と同様、電源や湯水撹拌循環手段を用いない極めて簡略安価な構造でありながら、使用者の足部を適温に維持しつつその皮膚から体内へ湯水と重曹、クエン酸との反応に基づく炭酸ガスを浸透させることができ、皮膚や脳循環の活性化、血圧の低下、副交感神経の活性化、快適感の増進等の諸効果を発揮させることができる二酸化炭素泉足浴装置を提供することができる。
【０００９】
請求項３記載の考案によれば、湯水内に重曹２００ｇ：クエン酸４０ｇの割合で混入し、一定時間後クエン酸１０ｇを追加混入させるクエン酸分散混入態様の基に、請求項１記載の考案の場合と同様、電源や湯水撹拌循環手段を用いない極めて簡略安価な構造でありながら、使用者の足部を適温に維持しつつその皮膚から体内へ湯水と重曹、クエン酸との反応に基づく炭酸ガスを浸透させることができ、皮膚や脳循環の活性化、血圧の低下、副交感神経の活性化、快適感の増進等の諸効果を発揮させることができる二酸化炭素泉足浴装置を提供することができる。
【００１０】
請求項４記載の考案によれば、請求項２又は３記載の考案と同様な効果を奏することに加え、足浴槽本体の底部にキャスタ取り付けた構成としているので、足浴槽装置本体の室内等での移動の簡略容易化を実現でき、また、遠赤外線等による身体を暖める効果、薬草による糖尿病等の疾病に対する改善効果をも期待できる二酸化炭素泉足浴装置を提供することができる。
【図面の簡単な説明】
【００１１】
【図１】本考案の実施例に係る二酸化炭素泉足浴装置の概略斜視図である。
【図２】図１のＡ−Ａ線概略拡大断面図である。
【図３】本実施例に係る二酸化炭素泉足浴装置の使用態様を示す概略斜視図である。
【図４】本実施例に係る二酸化炭素泉足浴装置における足浴槽本体の寸法、形状構成例を示す概略平面図である。
【考案を実施するための形態】
【００１２】
本考案は、電源や湯水撹拌循環手段を用いない極めて簡略、かつ、安価な構造で、しかも、足浴を通じての身体の健康促進に有効であり、家庭や施設等において何人も安心安全に、かつ、簡略に利用できる二酸化炭素泉足浴装置を提供するという目的を有する。
【００１３】
本考案の二酸化炭素泉足浴装置は、湯水を足浴用の貯湯部に貯留する足浴槽本体と、湯水内に２００ｇ：４０ｇの割合で混入させる重曹、クエン酸と、足浴槽本体の貯湯部内に配置する酸化マグネシウム、酸化カルシウム、アルミニウム粉末から選ばれる素材をベースとした発熱剤を収容した保温材と、を有し、前記保温材における発熱剤と湯水との反応により湯水を適温に維持するとともに、前記湯水と前記重曹、クエン酸との反応により湯水中に生じる炭酸ガスを足部の皮膚内に浸透させるようにした構成として上記目的を実現した。
【実施例】
【００１４】
以下に、本考案の実施例に係る二酸化炭素泉足浴装置１について、図面を参照して詳細に説明する。
【００１５】
本実施例に係る二酸化炭素泉足浴装置１は、図１乃至図３に示すように、檜木又は合成樹脂材を用い、外観一定高さの略五角柱状に形成し、その上面から内底に向けて一定深さ（例えば使用者Ｍの足Ｌのふくらはぎ部まで挿入できる深さ）の左右の足挿入用の五角形穴からなる貯湯部３を具備し、この貯湯部３に湯水Ｗを貯留する足浴槽本体２と、この足浴槽本体２の底部の例えば四箇所の角部に取り付けた足浴槽本体２自体の移動の便宜を図るためのキャスタ２ａと、前記湯水Ｗ内に混入させる重曹４(炭酸水素ナトリウム（ＮａＨＣＯ３）)及びクエン酸５（Ｃ６Ｈ８Ｏ７）と、足浴槽本体２の貯湯部３内に配置する酸化マグネシウム、酸化カルシウム、アルミニウム粉末から選ばれる素材をベースとした発熱剤７を収容した保温材６と、前記保温材６を貯湯部３内で押さえ込むとともに、身体を暖める効果を発揮する遠赤外線を放射する鉱石を用いた抑え部材８と、前記湯水Ｗ内に混入させる薬草９と、を有して構成している。
【００１６】
前記足浴槽本体２の寸法、形状の一例としては、図３、図４に示すように、高さＨ＝３００ｍｍ、Ｌ１＝１６０ｍｍ、Ｌ２＝２４０ｍｍ、Ｌ３＝２８０〜２９０ｍｍ、全体として外観視略五角柱状を呈する構成例を挙げることができる。
【００１７】
本実施例に係る二酸化炭素泉足浴装置１において、貯湯部３内の湯水Ｗに重曹４、クエン酸５を投入することにより、重曹４が湯水Ｗ内で化学反応（２ＮａＨＣＯ３→Ｎａ２ＣＯ３＋ＣＯ２＋Ｈ２Ｏ）を呈しながら、炭酸ガス（二酸化炭素）の気泡を湯水Ｗ中に発生させ使用者Ｍの足Ｌの足指やふくらはぎ等の皮膚に作用させることができる。クエン酸５は反応助剤として作用する。
【００１８】
前記重曹４は、常温では白色粉末状で、水への溶解度は低い。また、その溶解液は、常温で放置した場合も徐々に分解が進み、６５℃以上に加熱すると、急速に炭酸ナトリウム、二酸化炭素（ガス）、水に分解する。
【００１９】
前記クエン酸５は、常温で無色又は白色の固体であり、水溶液は弱アリカリ性を示すことが知られている。
【００２０】
二酸化炭素（ガス）（ＣＯ２）の大気分圧は、ほぼ３７０ｐｐｍで、分子量は約４４ｇ／ｍｏｌ、１６５ｇ／ｌ（２０℃）であり、また、気体の体積は２２．４１４ｌ／ｍｏｌ（０℃）、２３．５２７ｌ／ｍｏｌ（２０℃）であることから、重曹１００ｇについてＣＯ２が約２６ｇ発生することになる。
【００２１】
そして、湯水Ｗの１ｌ当たり重曹１００ｇで計算上５８００ｐｐｍとなる。
【００２２】
また、湯水Ｗの１ｌで１０００ｐｐｍの条件を満たすには重曹４のみで約２０ｇで、湯水Ｗの１ｌで１０００ｐｐｍの条件を満たすには重曹４とクエン酸５を併用する場合重曹約１８〜２０ｇ、クエン酸約４〜５ｇとなる。
【００２３】
このような配合により、本実施例の二酸化炭素泉足浴装置１は、温泉法に規定する二酸化炭素泉としての機能を発揮させることができる。
【００２４】
なお、重曹４は湯水Ｗへの溶解度が低く、６５℃で、上記のように炭酸ナトリウム、二酸化炭素、水の３物質に分解するが、例えば、３６〜４２℃であっても、水溶液中では各イオンに電離し、反応が容易になるため、固体よりも低い温度で反応する。
【００２５】
本実施例の二酸化炭素泉足浴装置１においては、重曹４を２００ｇ、クエン酸５を４０ｇの割合として前記湯水Ｗ内に混入させ、炭酸ガスを効率良く発生させるものである。
【００２６】
また、湯水Ｗ内にまず重曹２００ｇ：クエン酸４０ｇの割合で混入し、一定時間後クエン酸１０ｇを追加混入させるクエン酸分散混入態様とすることもできる。
【００２７】
この場合には、混入するクエン酸の量が多すぎて一部が空中に飛散するという不都合を回避でき、かつ、炭酸ガスの発生効率を高めることができる。
【００２８】
次に、前記足浴槽本体２内における貯湯部３の底面上に配置する本実施例の発熱剤７について説明する。
【００２９】
本実施例の発熱剤７は、火や電気を使用せずにいつでもどこでも水を注ぐだけで高温の蒸気が発生し、食品等を簡単に加熱調理することもできる発熱剤である。
【００３０】
従来の発熱剤と比較すると、最高温度は９８℃と安定し、熱量及び高温での持続時間が飛躍的に向上する特性としている。
【００３１】
本実施例の発熱剤７は、例えば酸化カルシウムとアルミニウム粉末をベースとし、発熱をコントロールする反応助剤を配合した組成となっている。
【００３２】
湯水Ｗとの反応は、ＣａＯ＋Ｈ２Ｏ→Ｃａ（ＯＨ）２の化学式の基に、成分中の酸化カルシウムがまず反応して水酸化カルシウムとなる。
【００３３】
次に、水酸化カルシウムがアルミニウム粉末と反応してアルミン酸カルシウムとなる時に、２Ａｌ＋３Ｃａ（ＯＨ）２→３ＣａＯ・Ａｌ２Ｏ３＋３Ｈ２の化学式の基に、高い熱エネルギーを発生する（日本特許：第３４６７７２９号）。
【００３４】
すなわち、アルミニウム粉末は常温では湯水Ｗと反応しないので、まず酸化カルシウムと湯水Ｗとを反応させ、水酸化カルシウムとし、その時に発生する熱エネルギーとアルカリ性水溶液を開始剤として、アルミニウムと水酸化カルシウムを反応させて高い熱エネルギーを貯湯部３内に放出させ、湯水Ｗを適温に加熱する仕組みである。
【００３５】
酸化マグネシウムをベースとする場合も、発熱をコントロールする反応助剤を配合した組成とし、酸化マグネシウムの湯水Ｗとの反応による熱エネルギーを利用する仕組みである。
【００３６】
次に、本実施例の薬草９について説明する。
【００３７】
この薬草９としては、例えば、
0003150886.tif 000003
その他の薬草を採用することができる。
【００３８】
そして、本実施例に係る二酸化炭素泉足浴装置１の使用者の症状に応じて選択されたいずれかの薬草９を、湯水Ｗに混入することにより、当該使用者における例えば糖尿病、脳梗塞、冷え症、アトピー、花粉症、関節病等の疾病に対する改善効果を発揮させることができる。
【００３９】
次に、上述した構成からなる本実施例に係る二酸化炭素泉足浴装置１の具体的効能について説明する。
【００４０】
本実施例に係る二酸化炭素泉足浴装置１において、例えば図３に示すように、使用者Ｍの足Ｌを貯湯部３内に浸すことにより、湯水Ｗ中の炭酸ガスが使用者Ｍの足Ｌにおける足指やふくらはぎ等の皮膚から体内に浸透し、抹消血管を拡張させることによって、血液の循環を促進し、新陳代謝を活発にし、心臓血系への負担を小さくする効果を発揮させることができる。
【００４１】
また、自律神経機能については交感神経活動を抑える効果やリラックス効果、副交感神経系活動については副交感神経系を優勢にさせる効果、唾液中ＩｇＡの濃度を増進させる効果、末梢血管拡張作用に基づいた皮膚血流や脳血流の増加作用等を期待することができる。
【００４２】
すなわち、使用者Ｍの深部体温や心拍数、筋肉代謝をさほど上昇させなくても、皮膚や脳循環の活性化、血圧の低下、副交感神経の活性化、快適感の増進を来すことが期待できるものである。
【産業上の利用可能性】
【００４３】
本考案に係る二酸化炭素泉足浴装置は、一般家庭の他、老人福祉施設、医療施設、温泉地や専門の浴場施設、スポーツ施設等広範な場所で幅広く応用でき、各々の場所で使用者が簡略容易に使用することで上述したような各種効果を享受することができる。
【符号の説明】
【００４４】
１    二酸化炭素泉足浴装置
２    足浴槽本体
２ａ  キャスタ
３    貯湯部
４    重曹
５    クエン酸
６    保温材
７    発熱剤
８    抑え部材
９    薬草
Ｌ    足
Ｍ    使用者
Ｗ    湯水
【図１】
0003150886.tif 000004
【図２】
0003150886.tif 000005
【図３】
0003150886.tif 000006
【図４】
0003150886.tif 000007